【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
金属物体の位置を測定するためのセンサであって、
複数のコイルないしコイル部分を有し、該コイルないしコイル部分は、少なくとも１つの送信コイル(5.1)と少なくとも１つの受信コイル(7.1)を構成し、該送信コイルと該受信コイルは、誘導的に互いに連結されており且つ相互作用解除のために部分的に重なり合って配置されると共に、相互作用の最適消去が達成可能であり、
前記送信コイルへ供給される電流の振幅の制御のもと前記送信コイルに通電するため及び前記受信コイルの受信信号(10.6)を評価するためのセンサ電子装置を有し、
前記送信コイル(5.1)と前記受信コイル(7.1)は、互いに相対回転されて及び／又はずらされて配置され、対称的に配置されて重なり合う複数の領域(8.4)が形成されている形式のセンサであり、
前記コイル形状は、前記コイルないしコイル部分の周部に沿って配置されて屈曲蛇行する複数のループ部分(5.2, 7.2)を有し、該ループ部分は、各々前記コイルないしコイル部分の一巻線の一部分であり、そして第１及び第２部分(5.3, 5.4)を有し、該第１及び第２部分(5.3, 5.4)は、前記コイルの中心点に対して異なる半径方向の間隔をもって配置されており、電気的な導体を構成するよう第３部分(5.5)を介して互いに交互に接続されていること
を特徴とするセンサ。
【請求項２】
前記重なり合う領域(8.4)は、前記コイルの中心に対して点対称で配置されていること
を特徴とする、請求項１に記載のセンサ。
【請求項３】
前記送信コイル(5.1)と前記受信コイル(7.1)は、同じコイル形状を有すること
を特徴とする、請求項１に記載のセンサ。
【請求項４】
前記コイルは、円形状であり、ｎ個のループ部分(5.2, 7.2)を有し、前記送信コイル(5.1)のループ部分と前記受信コイル(7.1)のループ部分とは、ほぼ３６０°／（ｎ×２）の角度分だけ相対回転されて配置されていること
を特徴とする、請求項１に記載のセンサ。
【請求項５】
前記ループ部分(5.2, 7.2)は、円弧形を形成する第１及び第２部分(5.3, 5.4)を有し、該第１及び第２部分(5.3, 5.4)は、電気的な導体を構成するよう半径方向に配置された第３部分(5.5)を介して互いに交互に接続されていること
を特徴とする、請求項１又は４に記載のセンサ。
【請求項６】
複数の送信コイル(5.1)と少なくとも１つの受信コイル(7.1)が設けられていること
を特徴とする、請求項１〜５のいずれか一項に記載のセンサ。
【請求項７】
前記受信コイル(7.1)において内方に向かって開いた前記ループ部分(7.2)の内側には、前記送信コイルの通電により生じた磁力線に対して反対の磁界による磁力線が形成され、それに対し、前記受信コイルの内側部(7.6)には、前記送信コイルの磁力線と同方向の磁界が形成されること
を特徴とする、請求項４〜６のいずれか一項に記載のセンサ。
【請求項８】
前記送信コイル(5.1)の周部は、前記受信コイル(7.1)の周部とほぼ一致していること
を特徴とする、請求項１〜７のいずれか一項に記載のセンサ。
【請求項９】
前記送信コイル(5.1)に割り当てられた電流信号を比較するための比較器が、制御値を検出するために設けられていること、及び、
少なくとも１つの制御された電流源が設けられており、該制御された電流源において、前記送信コイルへ供給される電流の振幅を制御するための前記制御値は、該振幅を次のように制御すること、即ち前記比較器の入力部における電圧信号の振幅が同じ大きさであるか、又はクロックサイクルの両方のクロック部分から前記比較器の入力部における電圧信号に差が存在しないように制御すること
を特徴とする、請求項１〜８のいずれか一項に記載のセンサ。
【請求項１０】
送信コイルへ供給される電流の振幅の制御のもと金属物体の位置を測定するためのセンサに備えられるコイルであって、各々受信コイル(7.1)及び送信コイル(5.1)として用いられる形式のコイルであり、該コイルの周部に沿って配置されて屈曲蛇行する複数のループ部分(5.2)が設けられており、該ループ部分は、各々前記受信コイル(7.1)及び前記送信コイル(5.1)の一巻線の一部分であり、そして第１及び第２部分(5.3, 5.4)を有し、該第１及び第２部分(5.3, 5.4)は、該コイルの中心点に対して異なる半径方向の間隔をもって配置されており、電気的な導体を構成するよう第３部分(5.5)を介して互いに交互に接続されていること
を特徴とするコイル。
【請求項１１】
前記ループ部分(5.2)は、円弧形を形成する第１及び第２部分(5.3, 5.4)により構成され、該第１及び第２部分(5.3, 5.4)は、円形状の該コイルの中心点に対して異なる半径方向の間隔をもって配置されており、電気的な導体を構成するよう半径方向に配置された第３部分(5.5)を介して互いに交互に接続されていること
を特徴とする、請求項１０に記載のコイル。
【手続補正２】
【補正対象書類名】明細書
【補正対象項目名】００２２
【補正方法】変更
【補正の内容】
【００２２】
前記の課題は、請求項１の特徴を有するセンサ、並びに請求項１０の特徴を有するコイルにより解決される。
即ち本発明の第１の視点により、金属物体の位置を測定するためのセンサであって、複数のコイルないしコイル部分を有し、該コイルないしコイル部分は、少なくとも１つの送信コイルと少なくとも１つの受信コイルを構成し、該送信コイルと該受信コイルは、誘導的に互いに連結されており且つ相互作用解除のために部分的に重なり合って配置されると共に、相互作用の最適消去が達成可能であり、前記送信コイルへ供給される電流の振幅の制御のもと前記送信コイルに通電するため及び前記受信コイルの受信信号を評価するためのセンサ電子装置を有し、前記送信コイルと前記受信コイルは、互いに相対回転されて及び／又はずらされて配置され、対称的に配置されて重なり合う複数の領域が形成されている形式のセンサであり、前記コイル形状は、前記コイルないしコイル部分の周部に沿って配置されて屈曲蛇行する複数のループ部分を有し、該ループ部分は、各々前記コイルないしコイル部分の一巻線の一部分であり、そして第１及び第２部分を有し、該第１及び第２部分は、前記コイルの中心点に対して異なる半径方向の間隔をもって配置されており、電気的な導体を構成するよう第３部分を介して互いに交互に接続されていることを特徴とするセンサが提供される。
更に本発明の第２の視点により、送信コイルへ供給される電流の振幅の制御のもと金属物体の位置を測定するためのセンサに備えられるコイルであって、各々受信コイル及び送信コイルとして用いられる形式のコイルであり、該コイルの周部に沿って配置されて屈曲蛇行する複数のループ部分が設けられており、該ループ部分は、各々前記受信コイル及び前記送信コイルの一巻線の一部分であり、そして第１及び第２部分を有し、該第１及び第２部分は、該コイルの中心点に対して異なる半径方向の間隔をもって配置されており、電気的な導体を構成するよう第３部分を介して互いに交互に接続されていることを特徴とするコイルが提供される。
尚、本願の特許請求の範囲に付記されている図面参照符号は、専ら本発明の理解の容易化のためのものであり、図示の形態への限定を意図するものではないことを付言する。
【手続補正３】
【補正対象書類名】明細書
【補正対象項目名】００２３
【補正方法】変更
【補正の内容】
【００２３】
本発明において、以下の形態が可能である。
（形態１）金属物体の位置を測定するためのセンサであって、複数のコイルないしコイル部分を有し、該コイルないしコイル部分は、少なくとも１つの送信コイルと少なくとも１つの受信コイルを構成し、該送信コイルと該受信コイルは、誘導的に互いに連結されており且つ相互作用解除のために部分的に重なり合って配置されると共に、相互作用の最適消去が達成可能であり、前記送信コイルに通電するため及び前記受信コイルの受信信号を評価するためのセンサ電子装置を有し、前記送信コイルと前記受信コイルは、実質的に同じコイル形状を有し、互いに相対回転されて及び／又はずらされて配置されており、対称的に配置されて重なり合う複数の領域が形成されていること。
（形態２）前記センサにおいて、前記重なり合う領域は、コイルの中心に対して点対称で配置されていることが好ましい。
（形態３）前記センサにおいて、前記コイル形状は、平坦なコイルないしコイル部分の周部に沿って配置されて屈曲蛇行する複数のループ部分を有し、該ループ部分は、各々、前記コイルないしコイル部分の一巻線の一部分であることが好ましい。
（形態４）前記センサにおいて、円形状のコイルは、ｎ個のループ部分を有し、前記送信コイルのループ部分と前記受信コイルのループ部分とは、ほぼ３６０°／（ｎ×２）の角度分だけ相対回転されて配置されていることが好ましい。
（形態５）前記センサにおいて、前記ループ部分は、好ましくは円形を形成する複数の部分を有し、該複数の部分は、円形状のコイルの中心点に対して異なる半径方向の間隔をもって配置されており、電気的な導体を構成するよう、好ましくは半径方向に配置された複数の部分を介して互いに交互に接続されていることが好ましい。
（形態６）前記センサにおいて、複数の送信コイルと少なくとも１つの受信コイルが設けられていることが好ましい。
（形態７）前記センサにおいて、前記受信コイルにおいて内方に向かって開いた前記ループ部分の内側には、前記送信コイルの通電により生じた磁力線に対して反対の磁界による磁力線が形成され、それに対し、前記受信コイルの内側部には、前記送信コイルの磁力線と同方向の磁界が形成されることが好ましい。
（形態８）前記センサにおいて、前記送信コイルの周部は、前記受信コイルの周部とほぼ一致していることが好ましい。
（形態９）前記センサにおいて、前記送信コイルに割り当てられた電流信号を比較するための比較器が、制御値を検出するために設けられていること、及び、少なくとも１つの制御された電流源が設けられており、該制御された電流源において、前記送信コイルへ供給される電流の振幅を制御するための前記制御値は、該振幅を好ましくは連続的に次のように制御すること、即ち前記比較器の入力部における電圧信号の振幅が実質的に同じ大きさであるか、又はクロックサイクルの両方のクロック部分から前記比較器の入力部における電圧信号に差が存在しないように制御することが好ましい。
（形態１０）特に形態１〜９のいずれか１つに記載した、受信コイル及び／又は送信コイルとして、金属物体の位置を測定するためのセンサにおいて使用するためのコイルであって、平坦なコイルの周部に沿って配置されて屈曲蛇行する複数のループ部分が設けられており、該ループ部分は、各々、コイルの一巻線の一部分であること。
（形態１１）前記コイルにおいて、前記ループ部分は、好ましくは円形を形成する複数の部分により構成され、該複数の部分は、円形状のコイルの中心点に対して異なる半径方向の間隔をもって配置されており、電気的な導体を構成するよう、好ましくは半径方向に配置された部分を介して互いに交互に接続されていることが好ましい。